(57)【要約】【課題】丈の長短および衣類の厚みにあわせて、無駄なく衣類を合理的に収納することができるようにしたハンガー用クローゼットを提供できるようにする。【解決手段】平面視において四角形に形成され、その４隅部分を支柱で連結した上・中・下３段の枠状部材からなるフレームの四囲及び上面部分をカバー部材で覆い、フレームを形成する上段の枠状部材及び中段の枠状部材にハンガー掛止用横桟を設け、カバー部材の１側面に開閉可能な開口部を形成したハンガー用クローゼットの中段の枠状部材に設けるハンガー掛止用横桟を、一端が中段の枠状部材に固定され、他端が進退可能な２重構造にし、当該進退する他端部側を構成する構成部材を折り曲げて立ち上げ、その先端部を上段の枠状部材のハンガー掛止用横桟に摺動可能に掛合させて構成した。【選択図】図２
0003152850.tif 000002
【実用新案登録請求の範囲】
【請求項１】
平面視において四角形に形成され、その四隅部分を支柱で連結した上段・中段・下段の各枠状部材の３つの枠状部材からなるフレームと、当該フレームの四囲及び上面部分を覆うカバー部材とを備え、フレームを形成する上段の枠状部材及び中段の枠状部材にハンガー掛止用横桟を設けるとともに、カバー部材の１側面に開閉可能な開口部を形成したハンガー用クローゼットにおいて、中段の枠状部材に設けるハンガー掛止用横桟を、一端が中段の枠状部材に固定され、他端が進退可能な２重構造にし、当該進退する他端部側を構成する構成部材を折り曲げて立ち上げ、その先端の掛止部を上段の枠状部材のハンガー掛止用横桟に摺動可能に掛合させ、上段の枠状部材のハンガー掛止用横桟に掛合する前記中段の枠状部材におけるハンガー掛止用横桟の先端部の位置を変更させることにより、上段の枠状部材のハンガー掛止用横桟に掛止したハンガーの長尺衣類が中段の枠状部材の高さ位置を越えて下方に吊持できる空間部分を変更可能に構成したことを特徴とするハンガー用クローゼット。
【請求項２】
フレームの四囲を覆うカバー部材の開口部が設けられた面を除く少なくとも一側面に小物収納用ポケットを設けたことを特徴とする請求項１に記載のハンガー用クローゼット。
【請求項３】
フレームに装着されたカバーの外面の上端若しくは上端近傍位置にハンガー掛止部材を設けたことを特徴とする請求項１または請求項２に記載のハンガー用クローゼット。
【請求項４】
中段の枠状部材の上面に物品載置用棚を着脱可能に設けたことを特徴とする請求項１乃至請求項３のいずれか１項に記載のハンガー用クローゼット。
【考案の詳細な説明】
【技術分野】
【０００１】
本考案は、ハンガーを掛止して使用するクローゼットに関し、特に通常丈の衣類とともに、長尺の衣類をも収納することができるようしたハンガー用クローゼットに関するものである。
【背景技術】
【０００２】
一般に、室内で衣類等を収容するための簡単な設備として、平面視において四角形に形成された枠状部材を上下に配置し、この上下の枠状部材の四隅部分を支柱で連結して形成されたフレームの四囲及び上面部分をカバー部材で覆い、上部の枠状部材にハンガー掛止用横桟を設け、このハンガー掛止用横桟に衣類を吊持したハンガーを掛止して収納するようにした簡易型のハンガー用クローゼットが知られている。
【０００３】
こうした簡易型のハンガー用クローゼットでは、カバー内に１つの大きな衣類収納用空間が形成されるために、丈夫の枠状部材に設けられたハンガー掛止用横桟に丈の異なる衣類を吊下げたハンガーが掛止される。
このように衣類の丈がことなるものをハンガー掛止用横桟に掛止して収納する場合、上着等の比較的丈が短いものでは、その下方空間が無駄な空間となり、収納効率が低下してしまうという問題があった。
【０００４】
そこで、ハンガー用クローゼットの収納効率を向上させるために、特許文献１に示されるように、収納空間を上下段にして丈の短い衣類を収納する部分とその側方に丈の長い衣類を収納する部分とを設けるようにしものが先に提案されている。
ところが、こうした先の提案にかかるものでは、例えば夏季のように半そでシャツやポロシャツ、ブレザー等の丈の短いものが多く、ロングコート等の丈の長い衣類がほとんどないような場合には、当該丈の長い衣類を収納する部分が無駄なスペースになってしまうという問題があった。
一方、ロングコート等の丈の長い衣類が多い場合でも、毛皮やダウンジャケットのように厚みの厚いものでは、収納枚数が制限されてしまうという問題がある。
【先行技術文献】
【特許文献】
【０００５】
【特許文献１】実開平５−６３３４０号公報
【考案の概要】
【考案が解決しようとする課題】
【０００６】
本考案は上記問題点に鑑み提案されたもので、丈の長短および衣類の厚みにあわせて、無駄なく衣類を合理的に収納することができるハンガー用クローゼットを提供できるようにすることを目的とするものである。
【課題を解決するための手段】
【０００７】
上記目的を達成するために、本考案にかかるハンガー用クローゼットは、平面視において四角形に形成され、その四隅部分を支柱で連結した上段・中段・下段の各枠状部材の３つの枠状部材からなるフレームと、当該フレームの四囲及び上面部分を覆うカバー部材とを備え、フレームを形成する上段の枠状部材及び中段の枠状部材にハンガー掛止用横桟を設けるとともに、カバー部材の１側面に開閉可能な開口部を形成したハンガー用クローゼットにおいて、中段の枠状部材に設けるハンガー掛止用横桟を、一端が中段の枠状部材に固定され、他端が進退可能な２重構造にし、当該進退する他端部側を構成する構成部材を折り曲げて立ち上げ、その先端の掛止部を上段の枠状部材のハンガー掛止用横桟に摺動可能に掛合させ、上段の枠状部材のハンガー掛止用横桟に掛合する前記中段の枠状部材におけるハンガー掛止用横桟の先端部の位置を変更させることにより、上段の枠状部材のハンガー掛止用横桟に掛止したハンガーの長尺衣類が中段の枠状部材の高さ位置を越えて下方に吊持できる空間部分を変更可能に構成したことを最も主要な特徴とするものである。
【０００８】
また、本考案にかかるハンガー用クローゼットでは、フレームの四囲を覆うカバー部材の開口部が設けられた面を除く少なくとも一側面に小物収納用ポケットを設けたことや、  フレームに装着されたカバーの外面の上端若しくは上端近傍位置にハンガー掛止部材を設けたこと、さらに、中段の枠状部材の上面に物品載置用棚を着脱可能に設けたことも特徴とするものである。
【考案の効果】
【０００９】
本考案にかかるハンガー用クローゼットは、平面視において四角形に形成され、その四隅部分を支柱で連結した上段・中段・下段の３段の枠状部材からなるフレームの四囲及び上面部分をカバー部材で覆い、フレームを形成する上段の枠状部材及び中段の枠状部材にハンガー掛止用横桟を設け、カバー部材の１側面に開閉可能な開口部を形成したハンガー用クローゼットの中段の枠状部材に設けるハンガー掛止用横桟を、一端が中段の枠状部材に固定され、他端が進退可能な２重構造にし、当該進退する他端部側を構成する構成部材を折り曲げて立ち上げ、その先端部の掛止部を上段の枠状部材のハンガー掛止用横桟に摺動可能に掛合させて構成してある。
これにより、上段の枠状部材のハンガー掛止用横桟に掛合する前記中段の枠状部材におけるハンガー掛止用横桟の先端部の位置を変更させるだけで、上段の枠状部材のハンガー掛止用横桟に掛止したハンガーの長尺衣類が中段の枠状部材の高さ位置を越えて下方に吊持できる空間部分を変更可能になっているので、丈の長短および衣類の厚みにあわせて無駄なく衣類を合理的に収納することができる利点がある。
【００１０】
また、フレームの四囲を覆うカバー部材の開口部が設けられた面を除く少なくとも一側面に小物収納用ポケットを設けたものでは、上記利点に加えて、衣類に付属する小物や頻繁に使用する小物も合わせて収納することができ、紛失や忘れものを防止できる利点もある。
【００１１】
さらに、フレームに装着されたカバーの外面の上端若しくは上端近傍位置にハンガー掛止部材を設けたるようにしたものでは、通勤や通学等、毎日着用するに衣類等を書けることにより、しわがよることなく、出し入れする手間も無くせて、いっそう至便なものにすることができる。
【００１２】
加えて、中段の枠状部材の上面に物品載置用棚を着脱可能に設けたものでは、例えば礼服用の小物等、頻繁に使用しない小物などをその礼服とともに収納することができ、必要とするときに即座に取り出して使用することができる利点がある。
【図面の簡単な説明】
【００１３】
【図１】は本考案にかかるハンガー用クローゼットの全体斜視図である。
【図２】は本考案にかかるハンガー用クローゼットのフレーム部分の斜視図である。
【図３】は本考案にかかるハンガー用クローゼットの進退するハンガー掛止用横桟部分の一部を切り欠いた状態の斜視図である。
【考案を実施するための形態】
【００１４】
以下、この考案にかかるハンガー用クローゼットの最も好ましい実施の形態を図面に基づいて説明する。
【実施例】
【００１５】
図１は本考案にかかるハンガー用クローゼットの全体斜視図であって、図中符号1はハンガー用クローゼットを全体的に示す。
このハンガー用クローゼット1は、図２に示すように平面視において四角形に形成され、その四隅部分を支柱２で連結した上段・中段・下段、３段の枠状部材３・４・５からなるフレーム６と、当該フレーム６の四囲及び上面部分を覆うカバー部材７とを備えてなる。
このカバー部材７は、不織布等の柔軟なシートで縦長の直方体に形成され、前面に３本のファスナ８をT形に設け、このファスナ８を開閉操作することにより、当該前面上部を大きく開閉することができる開口部９が形成されている。
【００１６】
カバー部材７の前面の上端部分には、日常頻繁に使用する衣類、例えば通勤もしくは通学用の服等の衣類を吊持するためにパイプ製のハンガー掛止部材１１が設けられており、このパイプ製のハンガー掛止部材１１は、両端がカバー部材７に縫着された取り付けベルト１０によりパイプ製のハンガー掛止部材１１が設けられて構成されている。
また、カバー部材７の側面部分にはこのカバー部材７と同質の材料で形成された複数（図上８個）の小物収納用ポケット１２が設けられている。
この小物収納用ポケット１２は、例えばネクタイ１３やハンカチ１４等の小物が収納されるもので、帯状のシート部材１５を上下４段に配設し、その下縁部分と両端部分および中央部分をカバー部材７に縫着して形成されている。
【００１７】
一方、フレーム６を形成する各枠状部材３・４・５は図２に示すように、左右に対峙して位置する側方部材１６と、この側方部材１６の前後の端寄り部分同士を連結する枠形成パイプ１７で連結して形成されており、前後の枠形成パイプ１７・１７間の左右方向の中央上面部分間には鋼線よりなる保形部材１８が取り付けてある。
尚、上段の枠状部材３に設けられる上記保形部材１８はカバー部材７の上面部分を支持するように作用し、中段の枠状部材に設けられる上記保形部材１８は後述する物品載置用棚１９・２０を支持するものとして作用する。
上記上・中・下３段の枠状部材３・４・５の間は、その四隅部分がパイプからなる支柱２で連結されている。
【００１８】
こうしてフレーム６を形成する下段の枠状部材５は、四隅の下面にキャスター２２が取り付けられている。
また、上段の枠状部材３の前後方向の中間部分には当該枠状部材３の保形をかねる上部ハンガー掛止用横桟２３が設けられている。
そして、中段の枠状部材４の前後方向の中間部分には下部ハンガー掛止用横桟２４が設けられている。
【００１９】
この下部のハンガー掛止用横桟２４は、図１および図３に示すように、一方の側方部材１６の前後方向中間部に形成された横桟装着孔２５に一端が挿入固定された外筒２６と、この外筒２６に内嵌して摺動することにより進退する内筒２７とからなる。
外筒２６から露出する内筒２７の中間部は常用に折り曲げられてその上端部分は上部ハンガー掛止用横桟２３に係止される鉤形の掛止部２８が形成されており、外筒２６の先端部分には内筒２７を固定する固定具２９が設けてある。
【００２０】
上記固定具２９は、図３に示すように外筒２６の先端部分に短寸円筒のねじ用キャップ３０を嵌着し、このねじ用キャップ３０および外筒２６を貫通して取り付けられた固定用ねじ３１を設けて構成されている。
したがって、固定用ねじ３１を締め込み、その先端を内筒２７の外面に圧接させると内筒２７が外筒２６に固定され、固定用ねじ３１を緩めると内筒２７が摺動可能になる。
上段の枠状部材３の、ハンガー掛止用横桟２３は、上部ハンガー掛止用横桟２３として作用するもので、左右の側方部材１６・１６の前後方向中間部に形成された横桟装着孔２５間に渡って取り付けられたパイプ２３で構成されており、この上部ハンガー掛止用横桟２３に前記下部ハンガー掛止用横桟２４を形成する内筒２７の先端の掛止部２８が摺動可能に掛止されている。
【００２１】
上記のように構成されたハンガー用クローゼット１は、上段・中段・下段の各枠状部材３・４・５を形成するために左右に対峙して位置する側方部材１６を連結する枠形成パイプ１７および上下のハンガー掛止用横桟２３・２４、下段の枠状部材５における補強用横桟２１、ならびに各枠部材３・４・５同士を連結する支柱２、保形部材８のそれぞれは分離することができ、折り畳み可能なカバー部材７とともにコンパクトにまとめることができ、搬送や収納に至便なものとなる。
符号１９・２０で示す物品載置用棚は、主として中段枠状部材４の上面に設置して使用されるものであって、硬質の板部材で形成されており、中段枠状部材４の全面を覆うものと下段部分を覆うものとがあり、中段部分に装着する物品載置用棚２０は内筒２７の伸縮にあわせて矢印Ａで示すように折り畳んで使用できるようになっている。
【００２２】
上記のように構成されたハンガー用クローゼット１を使用する手順を次に説明する。
まず、側方部材１６・１６を左右に対峙させ、この側方部材１６・１６を枠形成パイプ１７およびハンガー掛止用横桟２３・２４で連結した後、保形部材１８を装着し、下段の枠状部材５には補強用横桟２４を設けて上段・中段・下段の各枠状部材３・４・５を形成し、この枠部材３・４・５同士を支柱２で連結してフレーム６を室内の所望する場所に設置するとともに、このフレーム６をカバー部材７で覆うと、ここにハンガー用クローゼット１が形成される。
斯くして形成されたハンガー用クローゼット１に、ハンガー３４に吊るした衣類を収納するに当たり、衣類の丈を長いものと短いものとに分ける。
【００２３】
そして分けられた長い丈の衣類の凡その厚みがわかると、その厚みにあわせて下部ハンガー掛止用横桟２４における内筒２７の進退量を調節して長い丈の衣類３２を収納するスペース３３を所望する大きさに形成する。
しかる後、長い丈の衣類３２を前述の丈の長い衣類３２を収納するスペース３３に収納し、丈の短い衣類は上部ハンガー掛止用横桟２３と下部ハンガー掛止用横桟２４との２段に分けて収納する。
【００２４】
以上のように、長短、丈の異なる衣類を分類してハンガー用クローゼット１に収納するに当たり、長い丈の衣類３２を収納するスペース３３を調節可能にすることにより、クローセット内の収納空間を無駄なく有効に利用することができる。
尚、ハンガー用クローゼット１に衣類の収納量が少なく、あるいはハンガー用クローゼット１を小物の収納具として使用する場合には、図２に示す物品載置用棚１９・２０を適宜選択して中段の枠状部材４や下段枠状部材５の上面に設置することにより、ハンガー用クローゼット１を小物の収納具として使用することができる。
【符号の説明】
【００２５】
１・・・ハンガー用クローゼット
２・・・支柱
３・・・上段の枠状部材
４・・・中段の枠状部材
５・・・下段の枠状部材
６・・・フレーム
７・・・カバー部材
８・・・ファスナ
１１・・ハンガー掛止部材
１２・・・小物収納用ポケット
１６・・・側方部材
１７・・・枠形成パイプ
２３・・・上部ハンガー掛止用横桟
２４・・・下部ハンガー掛止用横桟
２６・・・外筒
２７・・・内筒
２８・・・掛止部
３２・・・丈の長い衣類
３３・・・スペース
【図１】
0003152850.tif 000003
【図２】
0003152850.tif 000004
【図３】
0003152850.tif 000005